(57)【要約】【課題】  印刷画像全体の粒状感の増加を抑え、なおかつ、インクの種類の制限を緩和し、白スジの発生を抑制する。【解決手段】  濃淡２種類のインクをそれぞれのノズル３３から吐出し、記録用紙３上にドットを形成する際に、ノズル３３の中に飛行曲がりを生じるノズル３３が存在する場合には、このノズル３３がドットを形成する画素を、このノズルを他の種類のインクを吐出するノズル３３に代替してドットを形成するようにした。【選択図】      図８
2006231907.tif 000002
【特許請求の範囲】
【請求項１】
少なくとも一つの色系につき濃度の異なるＮ種類（Ｎ≧２の自然数）のインクをそれぞれのノズルから吐出しメディア上に画像を形成する印刷装置に対し、画像データに基づいて印刷用画像データを生成する印刷用画像データ生成手段と、前記印刷用画像データを出力する印刷用画像データ出力手段と、前記ノズルに関する情報を取得するノズル情報取得手段と、前記ノズル情報において不良ノズルが存在するときは前記不良ノズルを前記Ｎ種類のうち他の種類のインクを吐出するノズルに代替する代替手段とを備えたことを特徴とする画像処理装置。
【請求項２】
前記画像データに基づいて、インクの種類ごとに各画素の濃度値を規定するプレーンを生成するプレーン生成手段を備え、前記プレーン生成手段は、前記不良ノズルのインクの種類に対応する第１のプレーンについて、前記不良ノズルが前記ドットを形成する画素の濃度値を、他の種類のインクの第２のプレーンに対応する画素に割り振ることを特徴とする請求項１に記載の画像処理装置。
【請求項３】
前記Ｎ種類のインクのうち、少なくとも前記プレーン生成手段により前記濃度値が割り振られるプレーンに対応するインクが表現可能な階調幅を取得するインク階調幅取得手段を備えたことを特徴とする請求項２に記載の画像処理装置。
【請求項４】
前記プレーン生成手段は、前記濃度値を前記他の種類のプレーンに割り振るとき、割り振られるプレーンに対応するインクの階調幅を取得し、この階調幅に対応した最大濃度値を前記濃度値が超える場合に、当該超える分の濃度値を前記他の種類のプレーンに割り振ることを特徴とする請求項３に記載の画像処理装置。
【請求項５】
少なくとも一つの色系につき濃度の異なるＮ種類（Ｎ≧２の自然数）のインクをそれぞれのノズルから吐出しメディア上に画像を形成する印刷装置に対し、画像データに基づいて印刷用画像データを生成する印刷用画像データ生成ステップと、前記印刷用画像データを出力する印刷用画像データ出力ステップと、前記ノズルに関する情報を取得するノズル情報取得ステップと、前記ノズル情報において不良ノズルが存在するときは前記不良ノズルを前記Ｎ種類のうち他の種類のインクを吐出するノズルに代替する代替ステップとを含むことを特徴とする画像処理方法。
【請求項６】
画像データに基づいて印刷用画像データを生成する印刷用画像データ生成手段と、前記印刷用画像データに基づいて、少なくとも一つの色系につき濃度の異なるＮ種類（Ｎ≧２の自然数）のインクをそれぞれのノズルから吐出しメディア上に画像を形成する印刷手段と、前記ノズルに関する情報を取得するノズル情報取得手段と、前記ノズル情報において不良ノズルが存在するときは前記不良ノズルを前記Ｎ種類のうち他の種類のインクを吐出するノズルに代替する代替手段とを備えたことを特徴とする印刷装置。
【請求項７】
画像データに基づいて印刷用画像データを生成する印刷用画像データ生成ステップと、前記印刷用画像データに基づいて、少なくとも一つの色系につき濃度の異なるＮ種類（Ｎ≧２の自然数）のインクをそれぞれのノズルから吐出しメディア上に画像を形成する印刷ステップと、前記ノズルに関する情報を取得するノズル情報取得ステップと、前記ノズル情報において不良ノズルが存在するときは前記不良ノズルを前記Ｎ種類のうち他の種類のインクを吐出するノズルに代替する代替ステップとを含むことを特徴とする印刷方法。
【請求項８】
少なくとも一つの色系につき濃度の異なるＮ種類（Ｎ≧２の自然数）のインクをそれぞれのノズルから吐出しメディア上に画像を形成する印刷装置に対し、画像データに基づいて印刷用画像データを生成する印刷用画像データ生成ステップ、前記印刷用画像データを出力する印刷用画像データ出力ステップ、前記ノズルに関する情報を取得するノズル情報取得ステップ、および前記ノズル情報において不良ノズルが存在するときは前記不良ノズルを前記Ｎ種類のうち他の種類のインクを吐出するノズルに代替する代替ステップとして実現される処理をコンピュータに実行させるためのプログラムであることを特徴とする画像処理プログラム。
【請求項９】
少なくとも一つの色系につき濃度の異なるＮ種類（Ｎ≧２の自然数）のインクをそれぞれのノズルから吐出しメディア上に画像を形成する印刷装置に対し、画像データに基づいて印刷用画像データを生成する印刷用画像データ生成ステップ、前記印刷用画像データを出力する印刷用画像データ出力ステップ、前記ノズルに関する情報を取得するノズル情報取得ステップ、および前記ノズル情報において不良ノズルが存在するときは前記不良ノズルを前記Ｎ種類のうち他の種類のインクを吐出するノズルに代替する代替ステップとして実現される処理をコンピュータに実行させるためのプログラムを記憶した記録媒体。
【発明の詳細な説明】
【技術分野】
【０００１】
本発明は、ノズルからインクを吐出して印刷を行う際に、ノズルの飛行曲がりによる白スジまたは濃いスジ等のバンディングの発生を抑制するための画像形成装置、画像処理方法、印刷装置、印刷方法、プログラム、及び記録媒体に関する。
【背景技術】
【０００２】
従来、インクを吐出する記録ヘッドを備え、紙や布、プラスチック、ＯＨＰ用シートなどのメディア（以下、単に記録用紙という）に対してインクを吐出してドットを形成して印刷を行う記録装置が知られている。
ところで、この種の記録装置では記録ヘッドに複数のノズルが形成され、これらのノズルからインクを吐出するように構成されているものの、これらのノズルの中に、インクの吐出方向が偏向してドットの着弾位置がずれる、いわゆる飛行曲がりを生じるノズルが存在する場合がある。この場合、例えば均一なパターンの画像印刷時には、印刷画像に白スジ（いわゆるバンディング）が発生し、印刷品位を損なうという問題がある。
【０００３】
以下は、印刷装置、特にインクジェット方式を採用したプリンタ（以下、「インクジェットプリンタ」と称す）について説明する。
インクジェットプリンタは、一般に安価でかつ高品質のカラー印刷物が容易に得られることから、パーソナルコンピュータやデジタルカメラなどの普及に伴い、オフィスのみならず一般ユーザにも広く普及してきている。
【０００４】
このようなインクジェットプリンタは、一般に、インクカートリッジと印字ヘッドが一体的に備えられたキャリッジと称される移動体が、印刷媒体（用紙）上をその紙送り方向に対し垂直な方向に往復しながらその印字ヘッドのノズルから液体インクの粒子をドット状に吐出（噴射）することで、印刷媒体上に所定の文字や画像を描画して所望の印刷物を作成するようになっている。そして、このキャリッジに黒色（ブラック）を含めた４色（ブラック、イエロー、マゼンタ、シアン）のインクカートリッジと各色の印字ヘッドを備えることで、モノクロ印刷のみならず、各色を組み合わせたフルカラー印刷も容易に行えるようになっている（さらに、これら各色に、ライトシアンやライトマゼンタなどを加えた６色や７色、あるいは８色のものも実用化されている）。
【０００５】
また、このようにキャリッジ上の印字ヘッドを紙送り方向に対し垂直な方向に往復させながら印刷を実行するようにしたタイプのインクジェットプリンタでは、ページ全体をきれいに印刷するために印字ヘッドを数十回から１００回以上も往復動させる必要があるため、他の方式の印刷装置、例えば、複写機などのような電子写真技術を用いたレーザープリンタなどに比べて大幅に印刷時間がかかるといった欠点がある。なお、この方式のインクジェットプリンタを一般に「マルチパス型プリンタ」または「シリアルプリンタ」と呼んでいる。
【０００６】
これに対し、印刷用紙の幅と同じ（もしくは長い）寸法の長尺の印字ヘッドを配置してキャリッジを使用しないタイプのインクジェットプリンタでは、印字ヘッドを印刷用紙の幅方向に移動させる必要がなく、いわゆる１走査（１パス）での印刷が可能となるため、前記レーザープリンタと同様な高速な印刷が可能となる。また、印字ヘッドを搭載するキャリッジやこれを移動させるための駆動系などが不要となるため、プリンタ筐体の小型・軽量化が可能となり、さらに静粛性も大幅に向上するといった利点も有している。なお、この方式のインクジェットプリンタを一般に「ラインヘッド型プリンタ」と呼んでいる。
【０００７】
ところで、このようなインクジェットプリンタに不可欠な印字ヘッドは、直径が１０〜７０μｍ程度の微細なノズルを一定の間隔を隔てて１列、または印刷方向に複数列に配設してなるものであるため、製造誤差によって一部のノズルのインクの吐出方向が傾いたり、ノズルの位置が理想位置とはずれた位置に配置されてしまい、そのノズルで形成されるドットの着弾位置が目標点よりもずれてしまうといった、いわゆる「飛行曲がり現象」を発生してしまうことがある。
【０００８】
この結果、その不良ノズルを用いて印刷された部分に、いわゆる「バンディング（スジ）現象」と称される印刷不良が発生して、印刷品質を著しく低下させてしまうことがある。すなわち、「飛行曲がり現象」が発生すると、隣り合うノズルにより吐出されたドット間距離が不均一となり、隣り合うノズルにより吐出されたドット間距離が長い部分には「白スジ（印刷用紙が白色の場合）」が発生し、隣り合うノズルにより吐出されたドット間距離が短い部分には、「濃いスジ」が発生する。
【０００９】
特に、このようなバンディング現象は、前述したような「マルチパス型プリンタ」（シリアルプリンタ）の場合よりも、印字ヘッドもしくは印刷媒体が固定（１パス印刷）である「ラインヘッド型プリンタ」の方に顕著に発生し易い（マルチパス型プリンタでは、印字ヘッドを何回も往復させることを利用してバンディングを目立たなくする技術がある）。
【００１０】
そのため、このような「バンディング現象」による一種の印刷不良を防止するために、印字ヘッドの製造技術の向上や設計改良などといった、いわゆるハード的な部分での研究開発が鋭意進められているが、製造コスト、技術面などから１００％「バンディング現象」が発生しない印字ヘッドを提供するのは困難となっている。
そこで、現状では前記のようなハード的な部分での改良に加え、以下に示すような印刷制御といった、いわゆるソフト的な手法を用いてこのような「バンディング現象」を低減するような技術が併用されている。
【００１１】
この問題を解決するために、染料濃度の高い濃インクと、この濃インクよりも染料濃度が低く、かつ、浸透性の高い淡インクとの濃淡２種類のインクを備え、中間調全体を、淡インクを使用してドットを形成するようにした技術が提案されている（例えば、特許文献１参照）。この技術によれば、淡インクの高い浸透性によりにじみが生じ、本来形成されるべきドットのサイズより大きなドットが形成されるため、特に、飛行曲がりによりドット着弾位置がずれても、そのずれによって生じる余白を埋め合わせることができ、白スジの発生を抑制することができる（例えば、特許文献１参照）。
【特許文献１】特開平１１−４８４６２号公報（図１）
【発明の開示】
【発明が解決しようとする課題】
【００１２】
しかしながら、従来の技術では、中間調の全域にわたって淡インクを使用し、比較的大きなドットを形成するため、各ドットが視認され易くなり、印刷された画像の粒状態が増してしまうという問題があった。
さらに、白スジの発生を抑制するために、淡インクの高い浸透性を利用しているために、浸透性の低い例えば顔料インクを用いることができないという問題がある。
【００１３】
本発明は、上述した事情を鑑みてなされたものであり、印刷画像全体の粒状感の増加を抑え、なおかつ、インクの種類の制限を緩和して浸透性の高低に係わりなく、不良ノズルを用いて印刷された場合の白スジまたは濃いスジ等のバンディング現象による印刷不良を防止することのできる画像処理装置、画像処理方法、印刷装置、印刷方法、プログラム、および記録媒体を提供することを目的とする。
【課題を解決するための手段】
【００１４】
〔形態１〕  上記目的を達成するために、形態１の画像処理装置は、少なくとも一つの色系につき濃度の異なるＮ種類（Ｎ≧２の自然数）のインクをそれぞれのノズルから吐出しメディア上に画像を形成する印刷装置に対し、画像データに基づいて印刷用画像データを生成する印刷用画像データ生成手段と、前記印刷用画像データを出力する印刷用画像データ出力手段と、前記ノズルに関する情報を取得するノズル情報取得手段と、前記ノズル情報において不良ノズルが存在するときは前記不良ノズルを前記Ｎ種類のうち他の種類のインクを吐出するノズルに代替する代替手段とを備えたことを特徴とする。
【００１５】
この画像処理装置によれば、飛行曲がりが生じるノズルに代えて、他の種類のインクを吐出するノズルによりドットが形成されるようになるため、ノズルの飛行曲がりによる白スジまたは濃いスジ（いわゆるバンディング）の発生が抑制される。また、このように、白スジまたは濃いスジの発生の抑制に淡インクの浸透性を利用する必要がないため、インクとして、浸透性の低い例えば顔料インクを用いることができ、使用可能なインクの種類の制限を緩和することができるという効果が得られる。
【００１６】
ここで、本形態でいう「ドット」とは、印刷物の文字や図形を表す基本単位であり、１または複数のノズルから吐出されたインクが媒体上に着弾した１つの領域をいう。また、この「ドット」は、面積が「ゼロ」ではなく、一定の大きさ（面積）をもつことは勿論、大きさごとに複数種類存する。また、ドットの形状としては、必ずしも真円形であるとは限らず、楕円形などの真円形以外の形状のものも含むものとし、この場合には直径が一律でないことからドットが占める面積によって、あるいはその平均的な径に基づいてそのドットサイズが決定されるものとする（以下の「印刷装置」に関する形態、「印刷プログラム」に関する形態、「印刷方法」に関する形態、「画像処理装置」に関する形態、「画像処理プログラム」に関する形態、「画像処理方法」に関する形態、並びに「前記プログラムを記録した記録媒体」に関する形態、発明を実施するための最良の形態の欄などの記載において同じである）。
【００１７】
なお、この「ドット径」をより厳密に定義すれば、ある量のインクを吐出して形成されたドットの面積と等しい面積を有する真円の等価ドットを想定し、その等価ドットの径をドット径とする。また、一般に、印刷媒体によってインクの吸収率なども変わってくることから、同じインク量であっても印刷媒体が変われば形成されるドット径は、様々に変化することは勿論である。また、この「ドット」は、必ずしも１回の吐出による１つのインク滴によって形成されたものに限定されるものでなく、極大ドットの場合などにように、２つ以上の吐出によるインク滴を組み合わせて形成されるものも含むものとする。
【００１８】
なお、上記飛行曲がりが生じるノズルとは、インクの吐出方向に偏向を生じドット着弾位置にずれが生じるノズルを指すものである。また、上記の画像処理装置は、例えば印刷装置に通信可能に接続され、この印刷装置に印刷用の画像データを出力するコンピュータを用いて実施可能であり、また、この画像処理装置を実現するコンピュータを印刷装置に組み込むことでも実現可能である。
【００１９】
〔形態２〕  形態２は、形態１の画像処理装置に係り、前記画像データに基づいて、インクの種類ごとに各画素の濃度値を規定するプレーンを生成するプレーン生成手段を備え、前記プレーン生成手段は、前記不良ノズルのインクの種類に対応する第１のプレーンについて、前記不良ノズルが前記ドットを形成する画素の濃度値を、他の種類のインクの第２のプレーンに対応する画素に割り振ることを特徴とする。
【００２０】
この構成によれば、インクの種類ごとに各画素の濃度値を規定するプレーンを生成するプレーン生成手段を備えているので、不良ノズルのインクの種類に対応するプレーンについて、不良ノズルがドットを形成する画素の濃度値を、他の種類のインクのプレーンに対応する画素に割り振る、例えば、シアンを淡シアン等に分配することにより、飛行曲がりによる白スジの発生を抑制することができるという効果が得られる。
なお、プレーンとは、色変換後の各色の画像データのことをいい、例えば、ＲＧＢ画像データがＣＭＹＫ画像データに色変換された場合、Ｃ、Ｍ、Ｙ、Ｋのそれぞれ画像データをプレーンと呼ぶ。
【００２１】
〔形態３〕  形態３は、形態２の画像処理装置に係り、前記Ｎ種類のインクのうち、少なくとも前記プレーン生成手段により前記濃度値が割り振られるプレーンに対応するインクが表現可能な階調幅を取得するインク階調幅取得手段を備えたことを特徴とする。
この構成によれば、プレーン生成手段により濃度値が割り振られるプレーンに対応するインクが表現可能な階調幅を取得することで、所望の階調を実現するときに、このインクで再現できるか否かの判断が可能になるという効果が得られる。
【００２２】
〔形態４〕  形態４は、形態３の画像処理装置に係り、前記プレーン生成手段は、前記濃度値を前記他の種類のプレーンに割り振るとき、割り振られるプレーンに対応するインクの階調幅を取得し、この階調幅に対応した最大濃度値を前記濃度値が超える場合に、当該超える分の濃度値を前記他の種類のプレーンに割り振ることを特徴とする。
この構成によれば、この階調幅に対応した最大濃度値を前記濃度値が超える場合に、当該超える分の濃度値を他の種類のプレーンに割り振るので、白スジの発生を抑制し、代わりのインクで再現できない階調も再現可能になるという効果が得られる。
【００２３】
〔形態５〕  形態５の画像処理方法は、少なくとも一つの色系につき濃度の異なるＮ種類（Ｎ≧２の自然数）のインクをそれぞれのノズルから吐出しメディア上に画像を形成する印刷装置に対し、画像データに基づいて印刷用画像データを生成する印刷用画像データ生成ステップと、前記印刷用画像データを出力する印刷用画像データ出力ステップと、前記ノズルに関する情報を取得するノズル情報取得ステップと、前記ノズル情報において不良ノズルが存在するときは前記不良ノズルを前記Ｎ種類のうち他の種類のインクを吐出するノズルに代替する代替ステップとを含むことを特徴とする。
この構成によれば、形態１と同様の効果が得られる。
【００２４】
〔形態６〕  形態６は、形態５の画像処理方法に係り、前記画像データに基づいて、インクの種類ごとに各画素の濃度値を規定するプレーンを生成するプレーン生成ステップを含み、前記プレーン生成ステップは、前記不良ノズルのインクの種類に対応する第１のプレーンについて、前記不良ノズルが前記ドットを形成する画素の濃度値を、他の種類のインクの第２のプレーンに対応する画素に割り振ることを特徴とする。
この構成によれば、形態２と同様の効果が得られる。
【００２５】
〔形態７〕  形態７は、形態６の画像処理方法に係り、前記Ｎ種類のインクのうち、少なくとも前記プレーン生成ステップにより前記濃度値が割り振られるプレーンに対応するインクが表現可能な階調幅を取得するインク階調幅取得ステップを含むことを特徴とする。
この構成によれば、形態３と同様の効果が得られる。
【００２６】
〔形態８〕  形態８は、形態７の画像処理方法に係り、前記プレーン生成ステップは、前記濃度値を他のプレーンに割り振るとき、割り振られるプレーンに対応するインクの階調幅を取得し、この階調幅に対応した最大濃度値を前記濃度値が超える場合に、当該超える分の濃度値を他の種類のプレーンに割り振ることを特徴とする。
この構成によれば、形態４と同様の効果が得られる。
【００２７】
〔形態９〕  形態９の印刷装置は、画像データに基づいて印刷用画像データを生成する印刷用画像データ生成手段と、前記印刷用画像データに基づいて、少なくとも一つの色系につき濃度の異なるＮ種類（Ｎ≧２の自然数）のインクをそれぞれのノズルから吐出しメディア上に画像を形成する印刷手段と、前記ノズルに関する情報を取得するノズル情報取得手段と、前記ノズル情報において不良ノズルが存在するときは前記不良ノズルを前記Ｎ種類のうち他の種類のインクを吐出するノズルに代替する代替手段とを備えたことを特徴とする。
この構成によれば、形態１と同様の効果が得られる。
【００２８】
〔形態１０〕  形態１０は、形態９の印刷装置に係り、前記画像データに基づいて、インクの種類ごとに各画素の濃度値を規定するプレーンを生成するプレーン生成手段を備え、前記プレーン生成手段は、前記不良ノズルのインクの種類に対応する第１のプレーンについて、前記不良ノズルが前記ドットを形成する画素の濃度値を、他の種類のインクの第２のプレーンに対応する画素に割り振ることを特徴とする。
この構成によれば、形態２と同様の効果が得られる。
【００２９】
〔形態１１〕  形態１１は、形態１０の印刷装置に係り、前記Ｎ種類のインクのうち、少なくとも前記プレーン生成手段により前記濃度値が割り振られるプレーンに対応するインクが表現可能な階調幅を取得するインク階調幅取得手段を備えたことを特徴とする。
この構成によれば、形態３と同様の効果が得られる。
【００３０】
〔形態１２〕  形態１２は、形態１１の印刷装置に係り、前記プレーン生成手段は、前記濃度値を前記他の種類のプレーンに割り振るとき、割り振られるプレーンに対応するインクの階調幅を取得し、この階調幅に対応した最大濃度値を前記濃度値が超える場合に、当該超える分の濃度値を前記他の種類のプレーンに割り振ることを特徴とする。
この構成によれば、形態４と同様の効果が得られる。
【００３１】
〔形態１３〕  形態１３の印刷方法は、画像データに基づいて印刷用画像データを生成する印刷用画像データ生成ステップと、前記印刷用画像データに基づいて、少なくとも一つの色系につき濃度の異なるＮ種類（Ｎ≧２の自然数）のインクをそれぞれのノズルから吐出しメディア上に画像を形成する印刷ステップと、前記ノズルに関する情報を取得するノズル情報取得ステップと、前記ノズル情報において不良ノズルが存在するときは前記不良ノズルを前記Ｎ種類のうち他の種類のインクを吐出するノズルに代替する代替ステップとを含むことを特徴とする。
この構成によれば、形態１と同様の効果が得られる。
【００３２】
〔形態１４〕  形態１４は、形態１３の印刷方法に係り、前記画像データに基づいて、インクの種類ごとに各画素の濃度値を規定するプレーンを生成するプレーン生成ステップを備え、前記プレーン生成ステップは、前記不良ノズルのインクの種類に対応する第１のプレーンについて、前記不良ノズルが前記ドットを形成する画素の濃度値を、他の種類のインクの第２のプレーンに対応する画素に割り振ることを特徴とする。
この構成によれば、形態２と同様の効果が得られる。
【００３３】
〔形態１５〕  形態１５は、形態１４の印刷方法に係り、前記Ｎ種類のインクのうち、少なくとも前記プレーン生成ステップにより前記濃度値が割り振られるプレーンに対応するインクが表現可能な階調幅を取得するインク階調幅取得ステップを含むことを特徴とする。
この構成によれば、形態３と同様の効果が得られる。
【００３４】
〔形態１６〕  形態１６は、形態１５の印刷方法に係り、前記プレーン生成ステップは、前記濃度値を他のプレーンに割り振るとき、割り振られるプレーンに対応するインクの階調幅を取得し、この階調幅に対応した最大濃度値を前記濃度値が超える場合に、当該超える分の濃度値を他の種類のプレーンに割り振ることを特徴とする。
この構成によれば、形態４と同様の効果が得られる。
【００３５】
〔形態１７〕  形態１７の画像処理プログラムは、少なくとも一つの色系につき濃度の異なるＮ種類（Ｎ≧２の自然数）のインクをそれぞれのノズルから吐出しメディア上に画像を形成する印刷装置に対し、画像データに基づいて印刷用画像データを生成する印刷用画像データ生成ステップ、前記印刷用画像データを出力する印刷用画像データ出力ステップ、前記ノズルに関する情報を取得するノズル情報取得ステップ、および前記ノズル情報において不良ノズルが存在するときは前記不良ノズルを前記Ｎ種類のうち他の種類のインクを吐出するノズルに代替する代替ステップとして実現される処理をコンピュータに実行させるためのプログラムであることを特徴とする。
この構成によれば、形態１と同様の効果が得られる。
【００３６】
〔形態１８〕  形態１８は、形態１３の画像処理プログラムに係り、前記画像データに基づいて、インクの種類ごとに各画素の濃度値を規定するプレーンを生成するプレーン生成ステップを備え、前記プレーン生成ステップは、前記不良ノズルのインクの種類に対応する第１のプレーンについて、前記不良ノズルが前記ドットを形成する画素の濃度値を、他の種類のインクの第２のプレーンに対応する画素に割り振ることを特徴とする。
この構成によれば、形態２と同様の効果が得られる。
【００３７】
〔形態１９〕  形態１９は、形態１８の画像処理プログラムに係り、前記Ｎ種類のインクのうち、少なくとも前記プレーン生成ステップにより前記濃度値が割り振られるプレーンに対応するインクが表現可能な階調幅を取得するインク階調幅取得ステップを含むことを特徴とする。
この構成によれば、形態３と同様の効果が得られる。
【００３８】
〔形態２０〕  形態２０は、形態１９の画像処理プログラムに係り、前記プレーン生成ステップは、前記濃度値を他のプレーンに割り振るとき、割り振られるプレーンに対応するインクの階調幅を取得し、この階調幅に対応した最大濃度値を前記濃度値が超える場合に、当該超える分の濃度値を他の種類のプレーンに割り振ることを特徴とする。
この構成によれば、形態４と同様の効果が得られる。
【００３９】
〔形態２１〕  形態２１の記録媒体は、少なくとも一つの色系につき濃度の異なるＮ種類（Ｎ≧２の自然数）のインクをそれぞれのノズルから吐出しメディア上に画像を形成する印刷装置に対し、画像データに基づいて印刷用画像データを生成する印刷用画像データ生成ステップ、前記印刷用画像データを出力する印刷用画像データ出力ステップ、前記ノズルに関する情報を取得するノズル情報取得ステップ、および前記ノズル情報において不良ノズルが存在するときは前記不良ノズルを前記Ｎ種類のうち他の種類のインクを吐出するノズルに代替する代替ステップとして実現される処理をコンピュータに実行させるためのプログラムを記憶した記録媒体である。
この構成によれば、形態１と同様の効果が得られる。
【００４０】
〔形態２２〕  形態２２は、形態２１の記録媒体に係り、前記画像データに基づいて、インクの種類ごとに各画素の濃度値を規定するプレーンを生成するプレーン生成ステップを備え、前記プレーン生成ステップは、前記不良ノズルのインクの種類に対応する第１のプレーンについて、前記不良ノズルが前記ドットを形成する画素の濃度値を、他の種類のインクの第２のプレーンに対応する画素に割り振ることを特徴とする。
この構成によれば、形態２と同様の効果が得られる。
【００４１】
〔形態２３〕  形態２３は、形態２２の記録媒体に係り、前記プレーン生成ステップは、前記濃度値を他のプレーンに割り振るとき、割り振られるプレーンに対応するインクの階調幅を取得し、この階調幅に対応した最大濃度値を前記濃度値が超える場合に、当該超える分の濃度値を他の種類のプレーンに割り振ることを特徴とする。
この構成によれば、形態３と同様の効果が得られる。
【００４２】
〔形態２４〕  形態２４は、形態２３の記録媒体に係り、前記Ｎ種類のインクのうち、少なくとも前記プレーン生成ステップにより前記濃度値が割り振られるプレーンに対応するインクが表現可能な階調幅を取得するインク階調幅取得ステップを含むことを特徴とする。
この構成によれば、形態４と同様の効果が得られる。
【発明を実施するための最良の形態】
【００４３】
［第１実施の形態］
以下、図面を参照して、本発明の第１実施の形態について説明する。なお、以下の説明においては、不良ノズルの一例として飛行曲がりが生じるノズルについて説明する。
図１は、印刷装置（画像処理装置）の一態様たるカラーインクジェットプリンタ（以下、単に「プリンタ」という）２を備えたコンピュータシステム１の概略構成図である。
【００４４】
この図に示すように、プリンタ２は、記録用紙３を搬送する用紙搬送機構２０と、記録用紙３に向けてインクを吐出してドットを形成するヘッドユニット２１と、このヘッドユニット２１によるインクの吐出及びドット形成を制御するヘッド駆動回路２２（図２参照）と、操作パネル２３と、これらの用紙搬送機構２０、ヘッドユニット２１および操作パネル２３との信号のやり取りを司る制御回路２４とを備えている。
【００４５】
用紙搬送機構２０は、制御回路２４により駆動制御される紙送りモータ２５と、この紙送りモータ２５の回転によって回転駆動される紙送りローラ２６とを備え、この紙送りローラ２６の回転によって記録用紙３が搬送される。
ヘッドユニット２１は、インクタンク２７と、ラインヘッド２８とを備えている。
インクタンク２７には、ブラック（Ｋ）のインクを収納したカートリッジ２９Ａと、カラーインクを収容したカートリッジ２９Ｂとが着脱自在に設けられている。ここで、本実施の形態のプリンタ２は、後述する通り、濃淡のカラーインクを用いて小中大の径からなるドットを形成可能な多値プリンタであり、カラーインクとして、染料濃度の高い濃インクであるシアン（Ｃ）、マゼンタ（Ｍ）およびイエロ（Y）の他に、染料濃度の低い淡インクであるライトシアン（Ｃ１）およびライトマゼンタ（Ｍ１）の合計５色のカラーインクを用いることとしている。
【００４６】
インクタンク２７からはインク供給路３０が引き出されてラインヘッド２８に接続されており、このインク供給路３０を介してインクタンク２７からラインヘッド２８へインクが供給される。
ラインヘッド２８は、図２に示すように、保持用フレーム３１と、この保持用フレーム３１に並べて固定された複数のノズルヘッド３２とを備えている。各ノズルヘッド３２にはインクが吐出される複数のノズル（吐出口）３３が形成されている。これらのノズル３３は、ブラック（Ｋ）、シアン（Ｃ）、マゼンタ（Ｍ）、イエロ（Ｙ）、ライトシアン（Ｃ１）およびライトマゼンタ（Ｍ１）のそれぞれごとに設けられている。すなわち、濃インクを吐出する濃インクノズル３３がブラック（Ｋ）、シアン（Ｃ）、マゼンタ（Ｍ）およびイエロ（Ｙ）ごとに設けられ、また、淡インクを吐出する淡インクノズル３３がライトシアン（Ｃ１）及びライトマゼンタ（Ｍ１）ごとに設けられる。
【００４７】
各ノズル３３には、電歪素子の１つであって応答性に優れたピエゾ素子（図示せず）が配置され、これらのピエゾ素子は、ノズル３３にインクを導くインク通路を形成する部材に接して配置されている。ピエゾ素子は、電圧の印加により結晶構造が歪み、極めて高速に電気−機械エネルギーの変換を行うものであり、ピエゾ素子の両端に設けられた電極間に所定時間幅の電圧を印加することにより、ピエゾ素子が電圧の印加時間だけ伸張し、インク通路の一側壁を変形させる。この結果、インク通路の体積はピエゾ素子の伸張に応じて収縮し、この収縮分に相当するインクが、インク滴となって、ノズル３３の先端から高速に吐出される。そして、このインク滴が紙送りローラ２６に沿わされた記録用紙３に染み込むことにより、ドットが形成されて画像の印刷が行われる。
【００４８】
また、このようなノズルヘッド３２が保持用フレーム３１に記録用紙３の幅方向に沿って複数並べられることにより、記録用紙３の全幅にわたってノズル３３が配列され、記録用紙３３の全幅にわたって一斉に画像形成が行われる。そして、ヘッドユニット２１により、記録用紙３の幅方向に画像を形成しつつ、記録用紙３を搬送方向に搬送することで、記録用紙３の搬送方向への画像形成が行われる。
【００４９】
ここで、上記ノズル３３の各々は、略一定の径を有して形成されているが、本プリンタ２は、かかるノズル３３を用いて径の異なる小（Ｓ）、中（Ｍ）、大（Ｌ）の３種類のドットを形成可能としている。詳細には、ピエゾ素子に印加する電圧波形（特に、負電圧印加時の電圧波形）を制御することでドット径を制御可能であることが一般に知られており、本プリンタ２にあっては、電圧波形とドット径との関係に基づいて、小（Ｓ）ドット、中（Ｍ）ドット、大（Ｌ）ドットを形成するためのそれぞれの電圧波形を予め用意し、これらの電圧波形を適宜選択することで、径の異なる３種類のドットを形成可能としている。そして、これらの３種類のドットを適宜の密度で形成することより、画像の階調（濃度）を表現している。具体的には、高階調（高濃度）を表現する場合には、大（Ｌ）ドットを密に形成することとし、階調（濃度）が低くなるにしたがって、ドット径を小さくし、或いは、ドットの密度を低くする。
【００５０】
また、本実施の形態では、淡インクを用いて大（Ｌ）ドットを形成した場合、隣接するドット距離が充分に小さくなるように設計されており、淡インクの大（Ｌ）ドットにて印刷した場合にはドット間の余白が埋められるようになっている。なお、濃インク及び淡インクを用いての印刷の詳細については、後に詳述することにする。
さて、図１に示すように、プリンタ２の制御回路２４は、コネクタ４０を介してコンピュータ４に接続されている。このコンピュータ４は、プリンタ２用のドライバーソフトを搭載し、入力装置であるキーボードや、マウス等の操作によるユーザの指令を受け付け、また、プリンタ２における種々の情報を表示装置の画面表示により提示するユーザインターフェイスを構成している。
【００５１】
図３は、制御回路２４を中心としたプリンタ２の主要部分の構成例を示すブロック図である。この図に示すように、制御回路２４は、ＣＰＵ（Ｃｅｎｔｒａｌ  Ｐｒｏｃｅｓｓｉｎｇ  Ｕｎｉｔ）４１、プログラマブルＲＯＭ（Ｐ−ＲＯＭ（Ｒｅａｄ  Ｏｎｌｙ  Ｍｅｍｏｒｙ））４３、ＲＡＭ（Ｐａｎｄｏｍ  Ａｃｃｅｓｓ  Ｍｅｍｏｒｙ）４４、文字のドットマトリクスを記憶したキャラクタジェネレータ（ＣＧ（Ｃｈａｒａｃｔｅｒ  Ｇｅｎｅｒａｔｏｒ））４５、およびＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）４６を備えた算術論理演算回路として構成されている。
【００５２】
この制御回路２４は、さらに、外部のモータ等とのインタフェースＩ／Ｆ（Ｉｎｔｅｒｆａｃｅ）であるＩ／Ｆ専用回路５０と、このＩ／Ｆ専用回路５０に接続されヘッドユニット２１を駆動してインクを吐出させるヘッド駆動回路２２と、紙送りモータ２５を駆動するモータ駆動回路５４とを備えている。
Ｉ／Ｆ専用回路５０は、パラレルインタフェース回路を内蔵しており、コネクタ４０を介してコンピュータ４から供給される印刷信号ＰＳを受け取ることができる。
【００５３】
次に、コンピュータ４の構成について、図４を参照して説明する。
図４に示すように、コンピュータ４は、ＣＰＵ９１、ＲＯＭ９２、ＲＡＭ９３、ＨＤＤ（Ｈａｒｄ  Ｄｉｓｋ  Ｄｒｉｖｅ）９４、ビデオ回路９５、Ｉ／Ｆ９６、バス９７、表示装置９８、入力装置９９および外部記憶装置１００を備えている。
ＣＰＵ９１は、ＲＯＭ９２やＨＤＤ９４に格納されているプログラムに従って各種演算処理を実行するとともに、装置の各部を制御する制御部である。
【００５４】
ＲＯＭ９２は、ＣＰＵ９１が実行する基本的なプログラムやデータを格納しているメモリである。ＲＡＭ９３は、ＣＰＵ９１が実行途中のプログラムや、演算途中のデータ等を一時的に格納するメモリである。
ＨＤＤ９４は、ＣＰＵ９１からの要求に応じて、記録媒体であるハードディスクに記録されているデータやプログラムを読み出すとともに、ＣＰＵ９１の演算処理の結果として発生したデータを前述したハードディスクに記録するものである。
【００５５】
ビデオ回路９５は、ＣＰＵ９１から供給された描画命令に応じて描画処理を実行し、得られた画像データを映像信号に変換して表示装置９８に出力する回路である。
Ｉ／Ｆ９６は、入力装置９９および外部記憶装置１００から出力された信号の表現形式を適宜変換するとともに、プリンタ２に対して印刷信号ＰＳを出力する回路である。
バス９７は、ＣＰＵ９１、ＲＯＭ９２、ＲＡＭ９３、ＨＤＤ９４、ビデオ回路９５およびＩ／Ｆ９６を相互に接続し、これらの間でデータの授受を可能とする信号線である。
【００５６】
表示装置９８は、例えば、ＬＣＤ（Ｌｉｑｕｉｄ  Ｃｒｙｓｔａｌ  Ｄｉｓｐｌａｙ）モニタやＣＲＴ（Ｃａｔｈｏｄｅ  Ｒａｙ  Ｔｕｂｅ）モニタによって構成され、ビデオ回路９５から出力された映像信号に応じた画像を表示する装置である。
入力装置９９は、例えば、キーボードやマウスによって構成されており、ユーザの操作に応じた信号を生成して、Ｉ／Ｆ９６に供給する装置である。
【００５７】
外部記憶装置１００は、例えば、ＣＤ−ＲＯＭ（Ｃｏｍｐａｃｔ  Ｄｉｓｋ−ＲＯＭ）ドライブユニット、ＭＯ（Ｍａｇｎｅｔ  Ｏｐｔｉｃａｌ）ドライブユニット、ＦＤＤ（Ｆｌｅｘｉｂｌｅ  Ｄｉｓｋ  Ｄｒｉｖｅ）ユニットによって構成され、ＣＤ―ＲＯＭディスク、ＭＯディスク、ＦＤに記録されているデータやプログラムを読み出してＣＰＵ９１に供給する装置である。また、ＭＯドライブユニットおよびＦＤＤユニットの場合には、ＣＰＵ９１から供給されたデータを、ＭＯディスクまたはＦＤに記録する装置である。
【００５８】
上記のように、コンピュータ４は、プリンタ２用のプリンタドライバソフトが予めインストールされ、コンピュータ４にプリンタドライバが搭載される。プリンタドライバソフトには、印刷に供される画像処理プログラムが組み込まれており、コンピュータ４が画像処理プログラムを実行することで、プリンタ２用の画像処理装置として機能する。
図５は、コンピュータ４にインストールされているプリンタ２用のプリンタドライバソフトによって実現される画像処理装置２００の機能ブロックを示す図である。この図に示すように、画像処理装置２００は、色変換部２１０と、飛行曲がり情報取得部２１１と、淡インク階調幅取得部２１２と、プレーン生成部２１３と、多値化部２１４とを備えている。
【００５９】
色変換部２１０は、印刷対象となる入力画像データとして、ＲＧＢ(Ｒｅｄ、Ｇｒｅｅｎ、Ｂｌｕｅ)表色系によって表現された画像データを受け取り、ＣＭＹＫ（シアン、マゼンタ、イエロ、ブラック）表色系の各色について画素ごとの階調度を規定する階調データに変換するものである。そして、各色の階調データは、プレーン生成部２１３に送られる。
【００６０】
飛行曲がり情報取得部２１１は、ラインヘッド２８のノズル３３のうち、インクの吐出方向の曲がり(飛行曲がり)が発生し、インクの着弾位置がずれるノズル３３の識別情報を取得し、プレーン生成部２１３に出力する。具体的には、インクの飛行曲がり特性は、プリンタ２の機体毎に異なっており、例えば、プリンタ２によって、所定のテストパターンを印刷した後に、印刷されたテストパターンをスキャナ等で読み取り、元のテストパターンと比較することで、プリンタ２の機体毎の飛行曲がり特性が求められる。プリンタ２の工場出荷時などには、上記のようにして飛行曲がり特性が求められ、そして、プリンタ２のＥＥＰＲＯＭ４６に予め格納された状態で出荷される。したがって、飛行曲がり情報取得部２１１は、プリンタ２から飛行曲がり特性を取得し、そして、インクの飛行曲がりを発生するノズル３３の識別情報と特定した後、その結果がプレーン生成部２１３に送られる。飛行曲がり情報取得部２１１は、広義にはノズルに関する情報を取得する意味で、ノズル情報取得部という。
【００６１】
淡インク階調幅取得部２１２は、ライトシアン（Ｃ１）およびライトマゼンタ（Ｍ１）の各淡インクにより描画可能な階調幅を取得し、プレーン生成部２１３に出力するものである。詳述すると、図６に示すように、濃インクの場合は、大（Ｌ）、中（Ｍ）、小（Ｓ）の３つの異なるドットを用いることで、０から最大階調（ここでは２５５）までの多階調を表現することができるものの、淡インクの場合は、濃インクに比べて濃度が低いために、表現可能な階調幅が濃インクに比べ狭く、大（Ｌ）径のドットを用いても、最大階調（濃度）を表現することができない。そこで、淡インクにより表現可能な表現可能最大階調Ｔｈがライトシアン（Ｃ１）およびライトマゼンタ（Ｍ１）の色ごとに予め求められており、それらが表現可能最大階調Ｔｈとして、プリンタ２のＥＥＰＲＯＭ４６に予め格納される。そして、淡インク階調幅取得部２１２は、プリンタ２からライトシアン（Ｃ１）およびライトマゼンタ（Ｍ１）の各色の表現可能最大階調Ｔｈを取得して、プレーン生成部２１３に出力する。
【００６２】
ここで、淡インクの表現可能最大階調Tｈを求める手法としては、淡インクの階調幅をテストするためのテストパターンをプリンタ２に印刷させ、印刷されたテストパターンをスキャナで読み取って画像化し、この画像から淡インクの表現可能最大階調Tｈを求めるといった手法が考え得る。
なお、このようにして求めた表現可能最大階調Ｔｈをプリンタ２のＥＥＰＲＯＭ４６に格納する構成ではなく、画像処理プログラムにデータとして組み込む構成とし、そのデータを必要に応じて参照する構成としても良い。この構成においては、表現可能最大階調Ｔｈは、画像処理プログラムとともに、コンピュータ４のＨＤＤ９４に格納される。
【００６３】
プレーン生成部２１３は、色変換部２１０から受け取ったＣＭＹＫ表色系の各色の階調データのうち、濃淡２種類のインクが使用できるシアン（Ｃ）およびマゼンタ（Ｍ）の各色系の階調データを対象にプレーン生成処理を行うものである。このプレーン生成処理は、シアン（Ｃ）およびマゼンタ（Ｍ）の各色系の階調データに基づいて、濃インクを吐出する濃インクノズル３３を用いて印刷する濃インクノズルプレーンと、淡インクを吐出する淡インクノズル３３を用いて印刷する淡インクノズルプレーンとの２つのプレーンを生成する処理である。
【００６４】
本実施の形態では、通常、濃インクを用いて印刷を実行し、飛行曲がりを生じる濃インクノズル３３が存在する場合には、その濃インクノズル３３がドットを形成する予定の画素を、濃インクノズル３３に代えて淡インクノズル３３によりドットを形成することとしている。すなわち、飛行曲がりを生じるノズルを他の種類のインクを吐出するノズルに代替する代替部を有する。
【００６５】
したがって、例えば図７（Ａ）に示す単色の階調データＤについてプレーンを生成する場合、プレーン生成処理においては、図７（Ｂ）に示すように、先ず、飛行曲がりが発生している濃インクノズル３３によって印刷される予定の画素領域Ａが特定される。そして、図７（Ｃ）に示すように、その画素領域Ａを淡インクノズル３３により印刷すべく、画素領域Ａの各画素の階調が割り振られた淡インクノズルプレーンＰ１を生成する。
【００６６】
このとき、上述の通り、淡インクだけでは最大階調（ここでは２５５）を表現できないため、画素領域Ａの各画素において不足する階調については、不足分の階調を補うように濃インクノズル３３から濃インクを吐出してドットを形成する。ずなわち、図７（Ｃ）に示すように、淡インクノズルプレーンＰ１においては、画素領域Ａの画素の階調が淡インクの表現可能最大階調Ｔｈを超えている画素群Ｒの全ての画素に対して、階調として表現可能最大階調Ｔｈが割り振られ、また、濃インクノズルプレーンＰ１においては、それらの画素群Ｒに対して不足した階調を補うだけの階調が割り振られる。具体的には、画素群Ｒ内の画素の階調がＱ（＞Ｔｈ）である場合、濃インクノズルプレーンＰ１では、その画素に対してＱ−Ｔｈの階調が割り振られることになる。
【００６７】
プレーン生成部２１３は、上記のようにして、シアン（Ｃ）およびマゼンタ（Ｍ）の各色の濃淡ノズルプレーンＰ１，P２を生成した後、これらの濃淡ノズルプレーンＰ１、Ｐ２と、イエロ（Ｙ）およびブラック（Ｋ）についての階調データを生成する。
多値化部２１４は、シアン（Ｃ）およびマゼンタ（Ｍ）の各色の濃淡ノズルプレーンＰ１、Ｐ２と、イエロ（Ｙ）およびブラック（Ｋ）についての階調データをプレーン生成部２１３から受け取り、プリンタ２が処理可能な信号（ここで、Ｃ、Ｍ、Ｙ、Ｋ、Ｃ１、Ｍ１の各色についての多値化された信号）に変換する。そして、この変換された信号が印刷信号ＰＳとしてＩ／Ｆ９６（出力手段）からプリンタ２に出力される。すなわち、多値化部２１４は、印刷用画像データを生成する印刷用画像データ生成部であり、この印刷用画像データは出力部を介してプリンタ２に出力される。
【００６８】
次に、本実施の形態の動作について説明する。
例えばユーザがコンピュータ４の入力装置９９を操作するなどして、アプリケーションプログラムを起動する要求がなされた場合、ＣＰＵ９１は、ＨＤＤ９４から該当するアプリケーションプログラムを読み出して実行する。この結果、アプリケーションプログラムが起動され、画像データの生成または編集が可能になる。このようなアプリケーションプログラムを利用して、画像が描画または編集された後、生成された画像を印刷する要求が入力装置９９を介して行われた場合には、ＣＰＵ９１は、生成された画像データをプリンタドライバソフトに対して供給する。このとき、画像データは、ＲＧＢ表色系によって表されているデータである。また、プリンタドライバソフトへの画像データ供給に伴って、コンピュータ４が画像処理プログラムを実行し、上述した画像処理装置２００として機能する。
【００６９】
この画像処理装置２００にあっては、図８に示すように、アプリケーションプログラムからＲＧＢ表色系によって表現された画像データが入力されると（ステップＳ１）、色変換部２１０が、入力画像データをＣＭＹＫ表色系の各色系ごとの階調データに変換し、プレーン生成部２１３に出力する（ステップＳ２）。
次いで、飛行曲がり情報取得部２１１が、ラインヘッド２８のノズル３３のうち、飛行曲がりを生じる濃インクノズル３３の識別情報をプリンタ２から取得する（ステップＳ３）。そして、その取得結果に基づいて、画像処理装置２００は、飛行曲がりを生じる濃インクノズル３３が存在しているか否かを判断する（ステップＳ４）。かかる濃インクノズル３３が存在しない場合（ステップＳ４：ＦＡＬＳＥ）、白スジが発生することがないため、画像処理装置２００は、そのまま印刷信号ＰＳを生成すべく多値化処理（ステップＳ７）に処理手順を進める。一方、飛行曲がりを生じる濃インクノズル３３が存在している場合には（ステップＳ４：ＴＲＵＥ）、画像処理装置２００は、飛行曲がりによって白スジが発生するのを防止すべく、次の処理が実行される。
【００７０】
すなわち、画像処理装置２００の淡インク階調幅取得部２１２は、ライトシアン（Ｃ１）およびライトマゼンタ（Ｍ１）の各色の淡インクについて表現可能な階調度を示す表現可能最大階調Ｔｈをプリンタ２から取得し、プレーン生成部２１３に出力する（ステップＳ５）。
次いで、プレーン生成部２１３は、色変換部２１０から受け取ったＣＭＹＫ表色系の各色系ごとの階調データのうち、シアン（Ｃ）およびマゼンタ（Ｍ）の各色系の階調データを対象にして、飛行曲がり情報取得部２１１から受け取った飛行曲がりを生じる濃インクノズル３３の識別情報と、淡インク階調幅取得部２１２から受け取った淡インクの表現可能最大階調Ｔｈとに基づいて、淡インクノズルプレーンＰ１および濃インクノズルプレーンＰ２を生成するプレーン生成処理を実行する（ステップＳ６）。
【００７１】
具体的には、図９に示すように、プレーン生成部２１３は、シアン（Ｃ）およびマゼンタ（Ｍ）のそれぞれの階調データが入力された場合（ステップＳ１０）、各階調データについて次の処理を実行する。すなわち、プレーン生成部２１３は、まず、飛行曲がりを生じる濃インクノズル３３の識別情報に基づいて、この濃インクノズル３３によりドットが形成される予定の画素領域Ａ（図７（Ｂ）参照）を特定し、そして、その画素領域Ａの各画素について、画素の入力濃度（階調）が淡インクの表現可能最大階調Ｔｈより大きいか否かを判断する（ステップＳ１１）。
【００７２】
この判断の結果、入力濃度の方が小さい場合（ステップＳ１１：ＦＡＬＳＥ）、プレーン生成部２１３は、入力濃度を、そのまま、淡インクノズルプレーンＰ１の対応する画素の階調に割り振る(ステップＳ１２)。
一方、入力濃度の方が大きい場合（ステップＳ１１：ＴＲＵＥ）、プレーン生成部２１３は、表現可能最大階調Ｔｈを、淡インクノズルプレーンＰ１の対応する画素の階調に割り振り（ステップＳ１３）、そして、不足する階調（＝入力濃度−表現可能最大階調Ｔｈ）を、濃インクノズルプレーンＰ２の対応する画素の階調に割り振る（ステップＳ１４）。
【００７３】
このようなプレーン生成処理の結果、飛行曲がりを生じる濃インクノズル３３により印刷される予定であった画素の印刷が淡インクノズル３３に割り振られ、また、淡インクにより不足する階調の印刷だけが濃インクノズル３３に割り振られる。
なお、飛行曲がりを生じない濃インクノズル３３によって印刷される画素については、入力濃度が、そのまま階調として濃インクノズルプレーンＰ２の対応画素に割り当てられる。
【００７４】
次いで、多値化部２１４は、図８に示すように、プレーン生成部２１３によって生成されたシアン（Ｃ）およびマゼンタ（Ｍ）の各色系についての濃淡インクノズルプレーンＰ１、Ｐ２、および、イエロ（Ｙ）、ブラック（Ｋ）の各色系の階調データを受け取り、プリンタ２が処理可能な信号（ここでは、Ｃ、Ｍ、Ｙ、Ｋ、Ｃ１、Ｍ１の各色についての多値化された信号）に変換する(ステップＳ７)。そして、画像処理装置２００は、多値化部２１４が変換した信号を印刷信号ＰＳとしてプリンタ２に出力する（ステップＳ８）。
【００７５】
プリンタ２は、印刷信号ＰＳを受信すると、ＣＰＵ４１が紙送りモータ２５を駆動して記録用紙３を１枚だけ吸引し、印刷開始位置まで移送する。そして、記録用紙３の印刷開始位置がラインヘッド２８の真下まで移動した場合に、ＣＰＵ４１は、印刷信号ＰＳをヘッド駆動回路２２を介してラインヘッド２８に供給し、印刷を開始する。このとき、印刷信号ＰＳのうち、シアン（Ｃ）の淡インクノズルプレーンＰ１に対応した信号が、ライトシアン（Ｃ１）のインクを吐出する淡インクノズル３３に供給され、濃インクノズルプレーンＰ２に対応した信号がシアン（Ｃ）のインクを吐出する濃インクノズル３３に供給される。これと同様に、マゼンタ（Ｍ）の淡インクノズルプレーンＰ１に対応した信号が、ライトマゼンタ（Ｍ１）のインクを吐出する淡インクノズル３３に供給され、濃インクノズルプレーンＰ２に対応した信号がマゼンタ（Ｍ）のインクを吐出する濃インクノズル３３に供給される。また、印刷信号ＰＳのうち、イエロ（Ｙ）の階調データに対応した信号がイエロ（Ｙ）のインクを吐出する濃インクノズル３３に供給され、ブラック（Ｋ）の階調データに対応した信号がブラック（Ｋ）のインクを吐出する濃インクノズル３３に供給される。そして、印刷が開始されると、ラインヘッド２８がＣ、Ｍ、Ｙ、Ｋ、Ｃ１、Ｍ１のインクを吐出しつつ、記録用紙３が搬送方向に間欠的に搬送される。この結果、コンピュータ４によって生成された画像データに対応するドット群が記録用紙３上に形成される。
【００７６】
以上のような実施の形態によれば、飛行曲がりを生じる濃インクノズル３３がドットを形成する予定の画素を、この濃インクノズル３３に代えて淡インクノズル３３がドットを形成する構成であるために、飛行曲がりによる白スジ（バンディング）が印刷画像に発生することを防止することが可能となり、以って、印刷品位を向上させることができる。
また、淡インクを用いて印刷する場合であっても、印刷すべき画像の階調に合わせて淡インクのドット径を異ならせるため、淡インクのドットにより印刷画像の粒状感が増してしまうといった事態を防止できる。
【００７７】
また、淡インクによる印刷時に、階調（濃度）が不足する場合には、濃インクノズル３３から濃インクを吐出して不足分の階調を補う構成としているため、印刷画像の階調バランスが崩れることがなく、印刷品位が損なわれることが無い。特に、淡インクで階調が不足する場合には、淡インクにより大（Ｌ）径のドットを形成するとともに、不足分の階調を濃インクのドットで補う構成であるため、淡インクの大（Ｌ）径のドットにより充分に余白が埋められ、濃インクノズル３３に飛行曲がりが生じていても、白スジを目立たなくすることができる。
［第２実施の形態］
次いで、本発明の第２実施の形態について説明する。
【００７８】
上述した第１実施の形態のプリンタ２は、通常時に、濃インクを用いて印刷を行うものであったが、本実施の形態に係るプリンタ２は、通常時に、印刷画像の階調に応じて濃淡両方のインクを用いて印刷を行うように構成されている。
かかる構成のプリンタ２を用いて印刷を行う際に、濃インクを吐出する濃インクノズル３３に飛行曲がりが生じている場合、淡インクを吐出する淡インクノズル３３を用いて印刷する点は第１実施の形態と同様であるが、淡インクノズル３３に飛行曲がりが生じている場合に、この淡インクノズル３３に代えて濃インクノズル３３を用いて印刷を行う点で第１実施の形態と異なる。
【００７９】
したがって、本実施の形態にあっては、濃インクノズル３３および淡インクノズル３３の両方についての飛行曲がり情報が必要となるため、本実施の形態においては、第１実施の形態で説明した飛行曲がり情報取得部２１１が、濃インクノズル３３および淡インクノズル３３の各々の中から、飛行曲がりが発生するノズル３３の識別情報を取得するように構成される。そして、本実施の形態に係る画像処理装置２００は、濃インクノズル３３および淡インクノズル３３のどちら側に飛行曲がりが生じているかによって、飛行曲がりが生じる箇所の画素の印刷に濃淡インクのどちらを使用するかを決定する。
【００８０】
本実施の形態に係る画像処理装置２００の動作について詳述すると、図１０に示すように、ＲＧＢ表色系によって表現された画像データが色変換部２１０に入力されると（ステップＳ２０）、色変換部２１０は、入力画像データをＣＭＹＫ表色系の各色系ごとの階調データに変換しプレーン生成部２１３に出力する(ステップＳ２１)。
次いで、飛行曲がり情報取得部２１１が、ラインヘッド２８のノズル３３のうち、飛行曲がりを生じる濃インクノズル３３および淡インクノズル３３の識別情報をプリンタ２から取得する（ステップＳ２２）。
【００８１】
そして、画像処理装置２００は、飛行曲がりを生じる濃インクノズル３３が存在しているか否かを判断し（ステップＳ２３）、かかる濃インクノズル３３が存在する場合には（ステップＳ２３：ＴＲＵＥ）、この濃インクノズル３３に代えて淡インクノズル３３を用いて淡インクによりドットを形成すべく、第１実施の形態にて説明したステップＳ５およびＳ６と同様にして、プレーン生成処理等を実行し、そして、上述したステップＳ７およびＳ８を実行して、プリンタ２に印刷信号ＰＳを出力する。
【００８２】
一方、飛行曲がりを生じる濃インクノズル３３が無い場合（ステップＳ２３：ＦＡＬＳＥ）、画像処理装置２００は、飛行曲がりを生じる淡インクノズル３３が存在しているか否かを判断する（ステップＳ２４）。そして、画像処理装置２００は、飛行曲がりを生じる淡インクノズル３３が存在していない場合には（ステップＳ２４：ＦＡＬＳＥ）、飛行曲がりを生じることがないため、印刷信号ＰＳを生成すべく処理手順をステップＳ７に進める。
【００８３】
また、飛行曲がりを生じる淡インクノズル３３が存在する場合（ステップＳ２４：ＴＲＵＥ）、画像処理装置２００は、飛行曲がりを生じる淡インクノズル３３の識別情報に基づいて、この淡インクノズル３３によりドットが形成される予定の画素領域Ａ（図７（Ｂ）参照）を特定し、そして、その画素領域Ａの各画素を、濃インクを用いて印刷するように変換処理を実行する（ステップＳ２５）。この結果、飛行曲がりを生じる淡インクノズル３３によりドットが形成される予定であった画素の印刷が濃インクノズル３３に割り振られる。このとき、濃インクは淡インクよりも表現可能な階調幅が広いため、濃インクを用いる場合に、画像の階調が不足することはなく、階調を補うための処理は必要ない。
【００８４】
そして、画像処理装置２００は、多値化処理によりプリンタ２が処理可能な信号（ここでは、Ｃ、Ｍ、Ｙ、Ｋ、Ｃ１、Ｍ１の各色についての多値化された信号）を生成し（ステップＳ７）、印刷信号ＰＳとしてプリンタに出力する（ステップＳ８）。
以上のような実施の形態によれば、第１実施の形態の効果に加え、飛行曲がりを生じる淡インクノズル３３が存在する場合であっても、この淡インクノズル３３に代えて濃インクノズル３３により印刷するため、淡インクノズル３３の飛行曲がりによる白スジ（バンディング）が印刷画像に発生することを防止することが可能となる。
【００８５】
なお、上述した各実施の形態において、図８〜図１０のフローチャートに示す処理を実行するにあたっては、ＲＯＭ５２に予め格納されている制御プログラムを実行する場合について説明したが、これに限らず、これらの手順を示したプログラムが記録された記憶媒体から、そのプログラムをＲＡＭ５３に組み込んで実行するようにしても良い。あるいは、そのプログラムをネットワークから取得しても良い。
【００８６】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【００８７】
なお、上述した第１および第２実施の形態の各々は、あくまでも本発明の一態様を示すものであり、本発明の趣旨を逸脱しない範囲で任意に変形可能である。
例えば、上述した実施の形態では、シアン（Ｃ）およびマゼンタ（Ｍ）の色系にのみ濃淡インクを使用したが、他の色系にも濃淡インクを用いる構成としても良い。
また例えば、上述した各実施の形態では、コンピュータ４にインストールされるプリンタドライバソフトに画像処理プログラムを組み込むことで、コンピュータ４を画像処理装置２００として機能させたが、これに限らず、プリンタ４の制御回路２４に画像処理プログラムを実行させ、この制御回路２４を画像処理装置２００として機能させる構成としても良い。この構成においては、画像処理プログラムが例えば制御回路２４のＰ−ＲＯＭ４３などに予め格納される。
【００８８】
なお、上述した画像処理プログラムは、コンピュータ４やプリンタ２の半導体ＲＯＭに予め記憶させて製品に組み込まれるほかにも、インターネットなどのネットワークを介して配信することも可能である。また、図１１に示すように、ＣＤ−ＲＯＭやＤＶＤ−ＲＯＭ、ＦＤなどのコンピュータ読み取り可能な記録媒体３００を介することによって所望するユーザなどに対して容易に提供することも可能である。
【００８９】
また例えば、上述した各実施の形態では、淡インクの表現可能最大階調Ｔｈが予め求められてプリンタ２に格納されている構成について説明したが、これに限らない。すなわち、淡インク階調幅取得部２１２を、淡インクの階調幅をテストするためのテストパターンをプリンタ２に印刷させ、印刷されたテストパターンをスキャナで読み取って画像化し、この画像から淡インクの表現可能最大階調Ｔｈを求める機能を有するように構成し、淡インクの表現可能最大階調Ｔｈを予め求めておかなくとも、淡インク階調幅取得部２１２が必要に応じて淡インクの実現可能最大階調Ｔｈを識別できるようにしても良い。
【００９０】
また例えば、上述した各実施の形態では、淡インクとして浸透性の高いインクを用いる構成としたが、これに限らない。すなわち、本発明は、淡インクの浸透性を利用して白スジの発生を抑制するのではなく、濃インクノズル３３および淡インクノズル３３の一方に飛行曲がりが発生している場合に、他方のノズル３３を用いることで白スジの発生を抑制するため、インクとして浸透性の低い例えば顔料インク等を用いることも可能である。このように、本発明によれば、使用可能なインクの種類の制限が緩和され、使用インクの自由度を向上させることができる。
【００９１】
また、上述した各実施の形態では、インクとして濃淡２種類のインクを用いる構成としたが、これに限らず、Ｎ（Ｎ≧２の自然数）種類のインクを用いる構成としても良い。この構成においては、ある種類のインクを吐出するノズルに飛行曲がりが生じている場合には、そのノズルに代えて、Ｎ種類のうち他の種類のインクを吐出するノズルのうち、１つ或いは複数のノズルを用いてドットを形成するように構成される。
【００９２】
また例えば、上述した実施の形態では、記録ヘッドとして、ピエゾ素子を用いてインクを吐出する構成のものを例示したが、他の方法によりインクを吐出する記録ヘッドを用いても良い。例えばインク通路に配置したヒータに通電し、インク通路内に発生する泡（バブル）によりインクを吐出する記録ヘッドを用いても良い。
また例えば、上述した各実施の形態では、記録ヘッドとしてラインヘッド２８を備え、記録ヘッドを走査させることなく記録用紙３を搬送方向に搬送するだけで印刷を行うプリンタ２に本発明を適用した例を説明したが、これに限らない。すなわち、記録ヘッドをキャリッジに搭載し、当該記録ヘッドを記録用紙３の幅方向に移動させつつ、記録ヘッドのノズルからインクと吐出させて印刷を行うプリンタにも本発明を適用することが可能である。
【図面の簡単な説明】
【００９３】
【図１】本発明の第１実施形態の印刷用のコンピュータシステムを示す図である。
【図２】ヘッドユニットの構成を示す図である。
【図３】プリンタの制御回路の機能的構成を示す図である。
【図４】コンピュータの機能的構成を示す図である。
【図５】画像処理装置の機能的構成を示すブロック図である。
【図６】濃インクおよび淡インクの階調幅を説明するための図である。
【図７】プレーン生成処理を説明するための図である。
【図８】印刷動作時の画像処理を示すフローチャートである。
【図９】プレーン生成処理を示すフローチャートである。
【図１０】本発明の第２実施形態の画像処理を示すフローチャートである。
【図１１】本発明の画像処理プログラムが記録された記録媒体を示す図である。
【符号の説明】
【００９４】
２…プリンタ、３…記録用紙（メディア）、４…コンピュータ、２４…制御回路、２８…ラインヘッド、３３…ノズル（淡インクノズル、濃インクノズル）、２００…画像処理装置、２１０…色変換部、２１１…飛行曲がり情報取得部、２１２…淡インク階調幅取得部、２１３…プレーン生成部、２１４…多値化部、Ｐ１…淡インクノズルプレーン、Ｐ２…濃インクノズルプレーン
【図１】
2006231907.tif 000003
【図２】
2006231907.tif 000004
【図３】
2006231907.tif 000005
【図４】
2006231907.tif 000006
【図５】
2006231907.tif 000007
【図６】
2006231907.tif 000008
【図７】
2006231907.tif 000009
【図８】
2006231907.tif 000010
【図９】
2006231907.tif 000011
【図１０】
2006231907.tif 000012
【図１１】
2006231907.tif 000013